(57)【要約】【課題】音声、画像、データを乗客に提供する情報サービス機器に使用される乗客用端末のＩＤ設定において、実際の座席組立、配線作業で、中継コネクタ接続間違い解消を目的とする。【解決手段】当該座席１６の座席端末１３、前座席１７の表示端末１４にＩＤ入力部２２，２３を設け、ＩＤ設定機器２３のＩＤ出力部からのＩＤ出力で当該座席一組のＩＤ設定をする。【選択図】　図１
2004078711.tif 000002
【特許請求の範囲】
【請求項１】
ＩＤ入力手段を持ち当該観客の座席に設置される座席手元端末と、当該観客の前の座席に設置されるＩＤ入力手段を持つ座席表示端末と、ＩＤ出力手段を持つ携帯端末と、で構成される情報サービス機器において、前記携帯端末でＩＤを出力して当該座席に合致する前記手元端末と、前記表示端末のＩＤを一致させられるように構成した座席端末ＩＤ設定装置。
【請求項２】
ＩＤ入出力手段を持ち当該観客の座席に設置される座席手元端末と、当該観客の前の座席に設置されるＩＤ入力手段を持つ座席表示端末と、ＩＤ出力手段を持つ携帯端末と、で構成される情報サービス機器において、前記手元端末からのＩＤ出力を受けて、前記表示端末のＩＤを設定し、修正を前記携帯端末で行うように構成した座席端末ＩＤ設定装置。
【請求項３】
ＩＤ入力手段を持ち当該観客の座席に設置される座席手元端末と、当該観客の前の座席に設置されるＩＤ入出力手段を持つ座席表示端末と、ＩＤ出力手段を持つ携帯端末と、で構成される情報サービス機器において、前記表示端末からのＩＤ出力を受けて、前記手元端末のＩＤを設定し、修正を前記携帯端末で行うように構成した座席端末ＩＤ設定装置。
【発明の詳細な説明】
【０００１】
【発明の属する技術分野】
本発明は、音声、画像、データを観客に提供する航空機、鉄道、船舶、球場、劇場等の情報サービス機器に関する。
【０００２】
【従来の技術】
従来、座席端末手段は、以下に記載されたものが知られている。
【０００３】
図４に従来の座席端末ＩＤ設定装置の構成を示しており、情報サービス機器は中央処理装置１、分配器２、２−４座席に１台設置される座席端末３、当該座席６に設置された手元端末５、当該座席６の前座席７に設置された表示端末４、これらを接続するハーネス８で構成されている。
【０００４】
中央処理装置１から音楽、映像等の観客サービス情報が、分配器２、２−４座席に１台設置されている座席端末３、表示端末４を通して供給される。該当座席６の観客は、手元端末５を操作して、欲しい音楽、映像を選択し、音声は手元端末５にヘッドホン（図示せず）を接続し、映像は表示端末４に表示し、空、鉄道、船の旅を楽しむ。ここで、手元端末５と表示端末４は一組にする必要が有るが、実際は、２−４座席に１台の座席端末３を設置する為、設置座席から、当該座席６に当該座席の手元端末５、前座席７に表示端末４を確実にハーネス３を配線する必要がある。
【０００５】
しかしながら、実際の座席組立、航空機内の配線作業では、座席端末側、手元端末側、表示端末側での間違いを、表示ラベルだけで防止しようとしているにもかかわらず、中継コネクタ接続間違いも加わり、配線間違いがあるのが現状である。
【０００６】
【発明が解決しようとする課題】
この情報サービス機器においては、速やかな機器の設置および動作が要求されている。
【０００７】
しかしながら、ＩＤ設定は配線間違い、中央処理装置への座席設定間違い等で、中央処理装置からＩＤ設定情報を手元端末、表示端末へ流すだけでは、一組の組合せがきちんとできない事が、発生していた。
【０００８】
本発明は、椅子内の配線に影響されない、航空機、鉄道、船内への航空機の情報サービス機器設置が速やかに、確実に行える座席端末ＩＤ設定装置を目的とする。
【０００９】
【課題を解決するための手段】
この課題を解決するために本発明は、当該座席の手元端末と表示端末にＩＤ入力手段を設けたとき、携帯型のＩＤ入力手段を用いて簡易に組み合わせＩＤ設定できるように構成したものである。また、手元端末か表示端末にＩＤ出力手段を持たせる事により、ほぼ自動でＩＤの出力、入力を行う事が可能となり、確認と、修正のみでＩＤ設定が可能となる。
【００１０】
これにより、椅子内の配線に影響されない、情報サービス機器設置が速やかに、確実に行える座席端末ＩＤ設定装置が得られる。
【００１１】
【発明の実施の形態】
本発明の請求項１に記載の発明は、ＩＤ入力手段を持ち当該観客の座席に設置される座席手元端末と、当該観客の前の座席に設置されるＩＤ入力手段を持つ座席表示端末と、ＩＤ出力手段を持つ携帯端末と、で構成される情報サービス機器において、前記携帯端末でＩＤを出力して当該座席に合致する前記手元端末と、前記表示端末のＩＤを一致させられるようにしたものであり、椅子内の配線に影響されない、情報サービス機器設置が速やかに、確実に行えるという作用を有する。
【００１２】
請求項２に記載の発明は、ＩＤ入出力手段を持ち当該観客の座席に設置される座席手元端末と、当該観客の前の座席に設置されるＩＤ入力手段を持つ座席表示端末と、ＩＤ出力手段を持つ携帯端末と、で構成される情報サービス機器において、前記手元端末からのＩＤ出力を受けて、前記表示端末のＩＤを設定し、修正を前記携帯端末で行うようにしたものであり、手元端末にＩＤ出力手段を持たせる事により、ほぼ自動でＩＤの出力、入力を行う事が可能となり、確認と、修正のみでＩＤ設定が可能となるという作用を有する。
【００１３】
請求項３に記載の発明は、ＩＤ入力手段を持ち当該観客の座席に設置される座席手元端末と、当該観客の前の座席に設置されるＩＤ入出力手段を持つ座席表示端末と、ＩＤ出力手段を持つ携帯端末と、で構成される情報サービス機器において、前記表示端末からのＩＤ出力を受けて、前記手元端末のＩＤを設定し、修正を前記携帯端末で行うようにしたものであり、表示端末にＩＤ出力手段を持たせる事により、ほぼ自動でＩＤの出力、入力を行う事が可能となり、確認と、修正のみでＩＤ設定が可能となるという作用を有する
以下、本発明の実施の形態について、図１から図３を用いて説明する。
【００１４】
（実施の形態１）
図１に本発明の座席端末ＩＤ設定装置の第１の実施形態を示しており、情報サービス機器は中央処理装置１１、分配器１２、２−４座席に１台設置される座席端末１３、当該座席１６に設置された手元端末１５、当該座席１６の前座席１７に設置された表示端末１４、これらを接続するハーネス１８、表示端末のＩＤ入力部２１、手元端末のＩＤ入力部２２、ＩＤ設定機器２３、ＩＤ設定機器２３のＩＤ出力部２４で構成されている。
【００１５】
中央処理装置１１から音楽、映像等の観客サービス情報が、分配器１２、２−４座席に１台設置されている座席端末１３、表示端末１４を通して供給される。該当座席１６の観客は、手元端末１５を操作して、欲しい音楽、映像を選択し、音声は手元端末１５にヘッドホン（図示せず）を接続し、映像は表示端末１４に表示し、空、鉄道、船の旅を楽しむ。ここで、手元端末１５と表示端末１４は一組にするため、ＩＤ設定機器２３のＩＤ出力部２４からＩＤを発光素子等で出力し、手元端末１５のＩＤ入力部２２へＩＤ入力させ、また同様に表示端末１４のＩＤ入力部２１にＩＤ入力させることにより、一組の設定が簡単に出来る。ＩＤ設定機器の出力ＩＤは、座席順序に従い、順次、出力後、切り替えるように設定しておけば、座席を順番に設定していくときに、ＩＤを手動で切り替える手間がなくなる。
【００１６】
これにより、椅子内の配線に影響されない、情報サービス機器設置が速やかに、確実に行える。
【００１７】
（実施の形態２）
図２に本発明の座席端末ＩＤ設定装置の第２の実施形態を示しており、情報サービス機器は中央処理装置１１、分配器１２、２−４座席に１台設置される座席端末１３、当該座席１６に設置された手元端末１５、当該座席１６の前座席１７に設置された表示端末１４、これらを接続するハーネス１８、表示端末のＩＤ入力部２１、手元端末のＩＤ入力部２２、ＩＤ設定機器２３、ＩＤ設定機器のＩＤ出力部２４、手元端末のＩＤ出力部２５で構成されている。
【００１８】
中央処理装置１１から音楽、映像等の観客サービス情報が、分配器１２、２−４座席に１台設置されている座席端末１３、表示端末１４を通して供給される。該当座席１６の観客は、手元端末１５を操作して、欲しい音楽、映像を選択し、音声は手元端末１５にヘッドホン（図示せず）を接続し、映像は表示端末１４に表示し、空、鉄道、船の旅を楽しむ。ここで、手元端末１５と表示端末１４は一組にするため、中央処理装置１１から分配器１２、座席端末１３を通して、基本ＩＤを手元端末１５に設定する。手元端末１５はＩＤ出力部２５からＩＤを発光素子等で出力し、表示端末１４のＩＤ入力部２１へＩＤ入力させる。これにより、一組の設定が簡単に出来る。手元端末と表示端末の発光、受光の位置関係が悪く、隣りの座席を間違って認識する事が有るが、出力、入力を手元端末、表示端末に表示させて、こういった間違った組み合わせがあるときは、ＩＤ設定機器２３を使用して、ＩＤ出力部２４から、ＩＤを表示端末１４に入力すればよい。
【００１９】
これにより、椅子内の配線に影響されない、情報サービス機器設置、ＩＤ設定、組み合わせが速やかに、確実に行える。
【００２０】
（実施の形態３）
図３に本発明の座席端末ＩＤ設定装置の第３の実施形態を示しており、情報サービス機器は中央処理装置１１、分配器１２、２−４座席に１台設置される座席端末１３、当該座席１６に設置された手元端末１５、当該座席１６の前座席１７に設置された表示端末１４、これらを接続するハーネス１８、表示端末のＩＤ入力部２１、手元端末のＩＤ入力部２２、ＩＤ設定機器２３、ＩＤ設定機器のＩＤ出力部２４、表示端末のＩＤ出力部２６で構成されている。
【００２１】
中央処理装置１１から音楽、映像等の観客サービス情報が、分配器１２、２−４座席に１台設置されている座席端末１３、表示端末１４を通して供給される。該当座席１６の観客は、手元端末１５を操作して、欲しい音楽、映像を選択し、音声は手元端末１５にヘッドホン（図示せず）を接続し、映像は表示端末１４に表示し、空、鉄道、船の旅を楽しむ。ここで、手元端末１５と表示端末１４は一組にするため、中央処理装置１１から分配器１２、座席端末１３を通して、基本ＩＤを表示端末１４に設定する。表示端末１４はＩＤ出力部２６からＩＤを発光素子等で出力し、表示端末１５のＩＤ入力部２２へＩＤ入力させる。これにより、一組の設定が簡単に出来る。手元端末と表示端末の発光、受光の位置関係が悪く、隣りの座席を間違って認識する事が有るが、出力、入力を手元端末、表示端末に表示させて、こういった間違った組み合わせがあるときは、ＩＤ設定機器２３を使用して、ＩＤ出力部２４から、ＩＤを表示端末１４に入力すればよい。
【００２２】
これにより、椅子内の配線に影響されない、情報サービス機器設置、ＩＤ設定、組み合わせが速やかに、確実に行える。
【００２３】
なお、以上の説明では、ＩＤ入出力を光入出力で構成した例で説明したが、その他のシリアル入出力にしても、同様に実施可能である。また、ＩＤ設定機器は一般のＴＶリモコン等を使用してもいい事は言うまでもない。
【００２４】
【発明の効果】
以上のように本発明によれば、椅子内の配線に影響されない、情報サービス機器設置が速やかに、確実に行えるという有利な効果が得られる。
【図面の簡単な説明】
【図１】本発明の第１の実施形態によるシステムを示す構成図
【図２】本発明の第２の実施形態によるシステムを示す構成図
【図３】本発明の第３の実施形態によるシステムを示す構成図
【図４】従来のシステムを示す構成図
【符号の説明】
１１中央処理装置
１２分配器
１３座席端末
１４表示端末
１５手元端末
２１ＩＤ入力部
２２ＩＤ入力部
２３ＩＤ設定機器
２４ＩＤ出力部
【図１】
2004078711.tif 000003
【図２】
2004078711.tif 000004
【図３】
2004078711.tif 000005
【図４】
2004078711.tif 000006
【手続補正書】
【提出日】平成14年8月23日(2002.8.23)
【手続補正１】
【補正対象書類名】図面
【補正対象項目名】図１
【補正方法】変更
【補正の内容】
【図１】
2004078711.tif 000007
【手続補正２】
【補正対象書類名】図面
【補正対象項目名】図２
【補正方法】変更
【補正の内容】
【図２】
2004078711.tif 000008
【手続補正３】
【補正対象書類名】図面
【補正対象項目名】図３
【補正方法】変更
【補正の内容】
【図３】
2004078711.tif 000009
【手続補正４】
【補正対象書類名】図面
【補正対象項目名】図４
【補正方法】変更
【補正の内容】
【図４】
2004078711.tif 000010